(57)【要約】【課題】白色光源の発光量が減少した場合にもライトガイドから照射される白色光の光量をできるだけ一定に保つことができる内視鏡用光源装置を提供すること。【解決手段】白色光源２０１から発した白色光はアフォーカル光学系２０３により径が縮小され、集光レンズ２０７で集光されてライトガイド１０１に入射する。アフォーカル光学系の第２レンズ２０３ｂは、外周にねじとギヤが形成された可動鏡筒２１１内に固定される。可動鏡筒２１１は、内周にねじが形成された固定鏡筒２１２に螺合している。焦点調整用モータ２１３のピニオン２１４は可動鏡筒のギヤに噛合させている。制御部２１は、白色光源２０２を点灯させ、ダイクロイックミラーで反射された成分を受光する光量センサ２２０の出力に基づいて光量規定となるよう焦点調整用モータを駆動する。【選択図】図３
2007252492.tif 000002
【特許請求の範囲】
【請求項１】
体腔内を照明するための白色光を発する白色光源と、
体腔壁の生体組織を励起させて蛍光を発生させるための励起光を発する励起光源と、
前記励起光の光路と前記白色光の光路とが交差する位置に配置され、励起光と白色光とのいずれか一方を反射させ、他方を透過させることにより互いに異なる方向から入射する励起光と白色光とを同一方向に向けるダイクロイックミラーと、
該ダイクロイックミラーにより同一方向に向けられた光を内視鏡の挿入部に引き通されたライトガイドの端面に集光させる集光レンズと、
前記白色光源と前記ダイクロイックミラーとの間に設けられ、前記ライトガイドに対する前記白色光の収束度合いを調整する焦点調整機構と、
前記ダイクロイックミラーにより分離された白色光のうち、前記集光レンズに向かわない成分を受光する光量センサと、
該光量センサの受光量に応じて、前記ライトガイドの先端から射出される白色光の光量がほぼ一定になるように前記焦点調整機構を制御する制御部とを備えることを特徴とする内視鏡用光源装置。
【請求項２】
前記白色光源と前記ダイクロイックミラーとの間の光路中に、前記白色光源から平行光として発した白色光の光束径を変更するために２枚のレンズで構成されるアフォーカル光学系を備え、前記焦点調整機構は、前記アフォーカル光学系の一方のレンズを光軸方向に移動させることを特徴とする請求項１に記載の内視鏡用光源装置。
【請求項３】
前記アフォーカル光学系の一方のレンズは、外周にねじ及びギヤが形成された筒状の可動鏡筒に取り付けられ、該可動鏡筒は、一端の内周にねじが形成された固定鏡筒に対し、前記可動鏡筒のねじを前記固定鏡筒のねじに螺合させることにより取り付けられ、前記焦点調整機構は、焦点調整用モータを備え、該モータの回転軸に取り付けられたピニオンを前記ギヤに噛合させ、該モータを回転駆動することにより、前記可動鏡筒を前記固定鏡筒に対して回転させ、ねじ送りにより前記レンズをその光軸方向に移動させることを特徴とする請求項２に記載の内視鏡用光源装置。
【請求項４】
前記光量センサの受光量がほぼ一定となるよう前記焦点調節機構を制御することを特徴とする請求項１〜３のいずれかに記載の内視鏡用光源装置。
【発明の詳細な説明】
【技術分野】
【０００１】
本発明は、内視鏡内に引き通されたライトガイドへ白色光と励起光とを供給するための内視鏡用光源装置に関する。
【背景技術】
【０００２】
生体組織は、特定の波長の光が照射されると、励起して蛍光を発する。また、腫瘍や癌などの病変が生じている異常な生体組織は、正常な生体組織よりも弱い蛍光を発する。この反応現象を利用して生体組織に生じた異状を検出する内視鏡システムが開発されている。
【０００３】
この種の内視鏡システムは、例えば特許文献１に開示されている。特許文献１に開示される内視鏡システムの光源装置は、白色光源２１から発した白色光と励起光源２２から発した励起光とをライトガイド１２に入射させるため、白色光の光路内にダイクロイックミラー２４を備えている。白色光は、ダイクロイックミラー２４を透過してライトガイドに入射し、このライトガイドに導かれて内視鏡先端まで導かれ、体腔内を照明する。一方、励起光は、ダイクロイックミラーで反射されてライトガイドに入射し、このライトガイドに導かれて内視鏡先端まで導かれ、体腔壁に照射されて体腔壁下の生体組織を励起し、蛍光を生じさせる。
【０００４】
この種の内視鏡システムの光源装置は、白色光及び励起光を集光レンズを用いて収束光にしてライトガイドの端面に入射させている。なお、白色光源としては、キセノンランプ、水銀ランプ、メタルハライドランプ等の放電型の高輝度ランプが用いられるが、これらのランプは初期光量が大きいため、白色光の集光点をライトガイドの端面に合わせると、使用初期にはライトガイドの先端から体腔内に照射される白色光の光量が過大となり、内視鏡先端部の温度が上昇して体内での危険性が生じる。このため、従来の光源装置は、白色光の集光点をライトガイドの端面からずらし、ライトガイドへの入射効率が最大とならないように設定している。一方、白色光源は使用時間の経過に伴って発光量が減少し、場合によっては初期光量の半分程度にまで減少する。
【０００５】
【特許文献１】特開２００２−０６５６０２号公報  （図１）
【発明の開示】
【発明が解決しようとする課題】
【０００６】
しかしながら、従来の内視鏡用光源装置では、白色光の集光位置が初期光量に合わせて設定された位置に固定されているため、発光量が減少するとライトガイドから照射される白色光の光量が低下し、内視鏡の視野が暗くなるという問題がある。
【０００７】
本発明は、上述した問題点に鑑みてなされたものであり、白色光源の発光量が減少した場合にもライトガイドから照射される白色光の光量をできるだけ一定に保つことができる内視鏡用光源装置を提供することを目的とする。
【課題を解決するための手段】
【０００８】
上記の課題を解決するため、本発明にかかる内視鏡用光源装置は、体腔内を照明するための白色光を発する白色光源と、体腔壁の生体組織を励起させて蛍光を発生させるための励起光を発する励起光源と、励起光の光路と白色光の光路とが交差する位置に配置され、励起光と白色光とのいずれか一方を反射させ、他方を透過させることにより互いに異なる方向から入射する励起光と白色光とを同一方向に向けるダイクロイックミラーと、ダイクロイックミラーにより同一方向に向けられた光を内視鏡の挿入部に引き通されたライトガイドの端面に集光させる集光レンズと、白色光源とダイクロイックミラーとの間に設けられ、ライトガイドに対する白色光の収束度合いを調整する焦点調整機構と、ダイクロイックミラーにより分離された白色光のうち、集光レンズに向かわない成分を受光する光量センサと、光量センサの受光量に応じて、ライトガイドの先端から射出される白色光の光量がほぼ一定になるように焦点調整機構を制御する制御部とを備えることを特徴とする。
【０００９】
白色光源とダイクロイックミラーとの間の光路中に、白色光源から平行光として発した白色光の光束径を変更するために２枚のレンズで構成されるアフォーカル光学系を備える場合には、焦点調整機構は、アフォーカル光学系の一方のレンズを光軸方向に移動させることが望ましい。
【００１０】
具体的には、以下のような構成が考えられる。すなわち、アフォーカル光学系の一方のレンズを、外周にねじ及びギヤが形成された筒状の可動鏡筒に取り付け、可動鏡筒を、一端の内周にねじが形成された固定鏡筒に対し、可動鏡筒のねじを固定鏡筒のねじに螺合させることにより取り付けられ、焦点調整機構は、焦点調整用モータを備え、モータの回転軸に取り付けられたピニオンをギヤに噛合させ、モータを回転駆動することにより、可動鏡筒を固定鏡筒に対して回転させ、ねじ送りによりレンズをその光軸方向に移動させる。
【００１１】
なお、アフォーカル光学系は、初期状態では白色光が発散光として集光レンズに入射するよう設定されることが望ましい。この場合、制御部は、光量センサの受光量がほぼ一定となるよう焦点調節機構を制御することができる。
【発明の効果】
【００１２】
本発明によれば、ダイクロイックミラーで分離された白色光の一部を光量センサで検出し、これに基づいて焦点調節機構を制御することにより、白色光源の発光量が変化した場合にも、ライトガイドから射出される白色光の光量の変化を抑えることができる。すなわち、白色光源の使用開始時には、発光量が大きいので白色光の集光位置がライトガイドの端面に一致しないよう設定し、取り込み効率を低くする。使用時間が経過して白色光源の発光量が減少すると、光量センサの受光量も低下する。そこで、制御部は、焦点調節機構を制御して白色光の集光位置をライトガイドの端面に近づけ、取り込み効率を高める。これにより、白色光源の発光量の低下を補い、ライトガイドから照射される白色光の光量をできるかぎり一定に保つことができる。
【発明を実施するための最良の形態】
【００１３】
以下、本発明の実施の形態について図面を参照しつつ説明する。本発明の内視鏡用光源装置は、蛍光観察が可能な一般的な内視鏡システムに適用される。そこで、一般的な内視鏡システムの全体的な構成について簡単に説明し、その後、実施形態の内視鏡用光源装置について説明する。
【００１４】
図１は、蛍光内視鏡システムの外観図である。図１に示されるように、内視鏡システムは、電子内視鏡１０、光源プロセッサ装置２０、及び、表示装置３０を備えている。光源プロセッサ装置２０は、電子内視鏡１０に白色光及び励起光を入射させる内視鏡光源装置の機能を含んでいる。
【００１５】
電子内視鏡１０は、体腔内に挿入するために細長く形成された挿入部１０ａ、その挿入部１０ａの先端部分を湾曲操作するためのアングルノブ等を有する操作部１０ｂ、操作部１０ｂと光源プロセッサ装置２０とを接続するために操作部１０ｂから延びるケーブル部１０ｃ、及び、ケーブル部１０ｃの先端を光源プロセッサ装置２０に着脱自在に装着するためのコネクタ部１０ｄに区分される。
【００１６】
そして、この電子内視鏡１０は、挿入部１０ａの内部に対物光学系及び撮像素子を備えている。対物光学系は、挿入部１０ａの先端に対向した被写体の像を形成し、撮像素子は、対物光学系によって形成された像を撮像して画像データに変換する。画像データは、挿入部１０ａ、操作部１０ｂ、ケーブル部１０ｃ、及び、コネクタ部１０ｄ内に順に引き通された信号線を通じて光源プロセッサ装置２０へ伝送される。
【００１７】
また、この電子内視鏡１０は、照明光及び励起光を内視鏡先端に伝送するため、束ねられた可撓な光ファイバからなるライトガイドを備えている。ライトガイドは、挿入部１０ａ、操作部１０ｂ、ケーブル部１０ｃ、及び、コネクタ部１０ｄ内に順に引き通されており、コネクタ部１０ｄが光源プロセッサ装置２０に装着されている場合、ライトガイドの基端は、光源プロセッサ装置２０内で白色光及び励起光の集光位置近傍に配置される。
【００１８】
図２は、実施形態の光源プロセッサ装置２０の概略的な構成を示すブロック図である。光源プロセッサ装置２０は、光源プロセッサ装置２０全体を制御する制御部２１、電子内視鏡１０のライトガイドへ白色光を供給する白色光源２０１、ライトガイドへ励起光を供給する励起光源２０２、ライトガイドに対する白色光の収束度合いを調整する焦点調整機構２１０、白色光の光量を検出する光量センサ２２０、及び、電子内視鏡１０の撮像素子１１から出力される画像データを処理するための画像処理部２２を備えている。
【００１９】
制御部２１は、操作盤上の切替スイッチが操作されることによって、体腔壁のカラー画像により観察する通常観察モードと、体腔壁の蛍光画像に基づいて得られた特殊観察画像を観察する特殊観察モードとの何れか一方に観察モードを切り替える。なお、制御部２１は、光源プロセッサ装置２０の電源が投入された起動時、あるいは、電源投入１０分後などの動作の区切りで自動的に、後述のキャリブレーションを実行する。
【００２０】
制御部２１は、通常観察モードでは、電子内視鏡１０の挿入部１０ａが挿入された体腔内を照明するための白色光を電子内視鏡１０内のライトガイドに入射させ、特殊観察モードでは、体腔内を照明するための白色光と、体腔壁下の生体組織を励起させるための励起光とをライトガイドに交互に入射させる。
【００２１】
画像処理部２２は、通常観察モードでは、電子内視鏡１０の撮像素子１１から出力される画像データを処理して表示装置３０に出力する。表示装置３０は、入力された画像データに基づいて、体腔内の通常画像を表示する。
【００２２】
一方、特殊観察モードでは、画像処理部２２は、挿入部１０ａの先端から白色光が射出されている期間に撮像素子１１から取得される参照画像データと、挿入部１０ａの先端から励起光が射出されている期間に撮像素子１１から取得される蛍光画像データとを交互に取得する。そして、画像処理部２２は、一組の参照画像データと蛍光画像データとを取得する毎に、参照画像データと蛍光画像データとを比較し、参照画像データの輝度に対する蛍光画像データの輝度の割合が一定の値より低い画素を病変部と特定し、これらの画素を例えば赤色で表示する患部画像データを生成する。そして、患部画像データを参照画像データに合成することにより、白色光により照明された体腔内の画像に病変部を赤色で重ねて表示する特殊観察画像データを順次生成して表示装置３０に出力する。表示装置３０は、入力された特殊観察画像データに基づいて、体腔内の画像に病変部が赤色で表示された特殊観察画像を表示する。
【００２３】
図３は、光源プロセッサ装置２０内の光学系部分を模式的に示す説明図である。光学系は、体腔内を照明するための白色光を発するハロゲンランプ等を利用した白色光源２０１と、体腔壁の生体組織を励起させて蛍光を発生させるための励起光を発するレーザーを利用した励起光源２０２と、電子内視鏡１０の挿入部１０ａに引き通されたライトガイド１０１に対して白色光と励起光とを選択的に入射させる光源アダプター３００とを備えている。
【００２４】
白色光源２０１から発した平行な白色光は、第１レンズ２０３ａと第２レンズ２０３ｂとの２枚の正レンズから構成されるアフォーカル光学系２０３によりビーム径が縮小されて光源アダプター３００に入射する。一方、励起光源２０２から発した励起光は、ファイバー束２０４に導かれ、コリメートレンズ２０５によりほぼ平行光に変換されて光源アダプター３００に入射する。
【００２５】
励起光の光路と白色光の光路とは交差するよう構成されている。そして、光源アダプター３００には、これらの白色光の光路と励起光の光路との交差位置に配置され、励起光を反射させ、白色光を透過させることにより互いに異なる方向から入射する励起光と白色光とを同一方向に向けるダイクロイックミラー２０６と、ダイクロイックミラー２０６を透過した白色光及びダイクロイックミラー２０６で反射された励起光を集光してライトガイド１０１に入射させる集光レンズ２０７と、特殊観察モードで白色光を断続的に透過させるロータリーシャッター２０８と、このロータリーシャッター２０８を回転駆動するシャッター用モータ２０９とが配置されている。
【００２６】
ライトガイド１０１に対する白色光の収束度合いを調整する焦点調整機構２１０は、白色光源２０１とダイクロイックミラー２０６との間に設けられ、アフォーカル光学系２０３の第２レンズ２０３ｂを光軸方向に移動させる機能を持つ。第２レンズ２０３ｂは、図３中上側となる一端の外周にねじが形成され、下側となる一端の外周にギヤが形成された可動鏡筒２１１内に固定されている。そして、この可動鏡筒２１１は、図中下側となる一端の内周にねじが形成された固定鏡筒２１２に対し、可動鏡筒２１１のねじを固定鏡筒２１２のねじに螺合させることにより取り付けられている。焦点調整機構２１０は、焦点調整用モータ２１３を備え、このモータ２１３の回転軸に取り付けられたピニオン２１４を可動鏡筒２１１の外周に形成されたギヤに噛合させている。
【００２７】
焦点調整用モータ２１３は、キャリブレーション時に制御部２１により回転駆動され、可動鏡筒２１１を固定鏡筒２１２に対して回転させ、ねじ送りにより第２レンズ２０３ｂを光軸方向に移動させる。これにより、集光レンズ２０７に入射する白色光の収束度が変化し、結果的に集光レンズ２０７を透過してライトガイド１０１に向かう白色光の収束度を変化させ、その集光位置を光軸方向に調整することが可能となる。
【００２８】
また、光源アダプター３００には、ダイクロイックミラー２０６により分離された白色光のうち、集光レンズ２０７に向かわない成分を受光する光量センサ２２０が設けられている。この例では、ダイクロイックミラー２０６は白色光源から発する白色光の大部分を透過させ、励起光源から発する励起光を反射させる。ただし、白色光の一部は、ダイクロイックミラー２０６で反射される。光量センサ２２０は、ダイクロイックミラー２０６により反射された白色光の一部の成分を受光して光量を検出する。
【００２９】
なお、光量センサ２２０の受光量は、白色光源２０１の発光量と、アフォーカル光学系２０３から射出される白色光の収束度によって変化する。収束度が同一であれば、発光量に比例して受光量が変化し、発光量が同一であれば、収束度が小さい(発散している)ほど受光量は小さく、収束度が大きくなると、一定の収束度までは受光量が増加する。制御部２１は、この光量センサ２２０の出力に基づき、受光量がほぼ一定(所定の規定値)となるように第２レンズ２０３ｂの位置を調整する。これにより、ライトガイド１０１の先端から照射される白色光の光量をほぼ一定(観察に適する光量)に保つことができる。
【００３０】
次に、光源プロセッサ装置２０の具体的な構成を図４〜図６に基づいて説明する。図４は、光源プロセッサ装置２０の全体構成を示す断面図、図５は、光源アダプター３００の斜視図、図６は、図４に示す構成のうち白色光源２０１から光源アダプター３００までの部分を拡大して示す断面図である。
【００３１】
光源プロセッサ装置２０の筐体内には、図中左側に電源ユニット２３が配置され、図中右側には底面に配置されたベース２４上に、白色光源２０１を支持する放熱板が形成された白色光源台２５、アフォーカル光学系２０３の２枚のレンズ２０３ａ，２０３ｂを保持するレンズ支持台２６、光源アダプター３００が固定されている。光源プロセッサ装置２０の筐体の前面には、電子内視鏡１０のコネクタ部１０ｄに設けられた図示せぬ信号コネクタが嵌合する信号コネクタ受け２７と、同じくコネクタ部１０ｄから突出するライトガイド１０１が挿入されるガイド筒２８とが設けられている。
【００３２】
光源アダプター３００の構成については、図４に加えて、図５及び図６をも参照して説明する。光源アダプター３００は、図４及び図５に示すように、光源プロセッサ装置２０内でベース２４に固定されたアダプター本体３１０と、このアダプター本体３１０に水平方向に沿って設けられたガイドレール３１１にガイドされてアフォーカル光学系２０３の光軸に対して垂直な方向にスライド可能な移動ステージ３２０とを備えている。アダプター本体３１０には、ステージ移動用モータ３１２(図６参照)が設けられ、このモータの回転軸に固着されたピニオン３１２ａが移動ステージ３２０の上端に形成されたラック３２１に噛合している。
【００３３】
移動ステージ３２０には、図５に示されるように、ダイクロイックミラー２０６が装着されたミラーボックス部３２２が形成されると共に、このミラーボックス部３２２を中央にして一方側にはロータリーシャッター２０８を回転駆動するモータ２０９が収納されたモータ収納部３２３が形成され、他方側には断面円形の光路孔３２４が移動ステージ３２０を貫通して形成されている。ロータリーシャッター２０８は、中心角約１６０°の扇形の開口が形成された円板である。
【００３４】
ステージ移動用モータ３１２を回転させることにより、移動ステージ３２０をガイドレール３１１に沿って水平方向に移動させ、ダイクロイックミラー２０６を白色光と励起光との交差位置と、交差位置から外れた待避位置との間で移動させることができる。
【００３５】
ミラーボックス部３２２は、図６に示すように、ダイクロイックミラー２０６で反射される励起光がダイクロイックミラー２０６に向けて通る第１の開口３２２ａと、ダイクロイックミラー２０６により白色光と同一方向に向けられた光が透過する第２の開口３２２ｂとを有している。
【００３６】
ファイバー束２０４は、図５に示すようにコネクタＣ１を介して励起光源２０２に接続され、図６に示すようにコネクタＣ２により保持体２３１に接続されている。コリメートレンズ２０５は、鏡筒２３２内の一端に保持されており、他端側に保持体２３１が嵌合している。鏡筒２３２は、図示せぬ支持機構によりアダプター本体３１０、あるいは、アダプター本体が固定されたベース２４に固定されている。
【００３７】
図６に拡大して示すように、可動鏡筒２１１の左端外周には、ねじが形成され、これが固定鏡筒２１２の右端の内周に形成されたねじに螺合している。また、固定鏡筒２１２の周壁の１面には、焦点調整用モータ２１３が固着されており、このモータの回転軸に固定されたピニオン２１４が可動鏡筒２１１の右端に形成されたギヤに噛合している。焦点調整用モータ２１３を回転駆動することにより、アフォーカル光学系２０３の第１レンズ２０３ａと第２レンズ２０３ｂとの間隔が変化し、集光レンズ２０７により形成される白色光の集光位置が集光レンズ２０７の光軸方向に変位する。
【００３８】
制御部２１は、特殊観察モードでは、ダイクロイックミラー２０６が励起光と白色光との交差位置に配置されるようステージ移動用モータ３１２を駆動し、シャッター用モータ２０９によりロータリーシャッター２０８を回転駆動する。これにより、白色光を断続的にダイクロイックミラー２０６に入射させ、白色光が入射する間は励起光源２０４をオフし、白色光が遮断される間に励起光源２０４をオンすることにより、白色光と励起光とを交互にライトガイド１０１に入射させる。
【００３９】
一方、通常観察モードでは、制御部２１は、ステージ移動用モータ３１２を駆動することにより、ダイクロイックミラー２０６が待避位置に配置するよう移動ステージ３２０を移動させる。これにより、白色光の光路からダイクロイックミラー２０６とロータリーシャッター２０８とが待避し、光路孔３２４が集光レンズ２０７の光軸上に配置される。したがって、白色光源２０１を点灯することにより、白色光を連続的にライトガイド１０１に入射させることができる。
【００４０】
白色光の内視鏡先端からの照射量を調整するには、キャリブレーションを実行する。キャリブレーションでは、制御部２１は、ダイクロイックミラー２０６が励起光と白色光との交差位置に配置されるようステージ移動用モータ３１２を駆動し、白色光源２０１を点灯させて光量センサ２２０の受光量を検出し、これに基づいて焦点調整機構２１０を制御する。
【００４１】
次に、白色光のキャリブレーションの処理について図７に示すフローチャートに基づいて説明する。白色光キャリブレーション処理は、使用者が光源プロセッサ装置２０の電源をオンして起動した際、あるいは、電源投入１０分後などの動作の区切りで自動的に実行される。
【００４２】
制御部２１は、白色光源２０１を点灯させ、光量センサの受光量を測定する(S01)。続いて、制御部２１は、カウンタｎの値を０にリセットし(S02)、焦点調整用モータ２１３を所定の方向に回転駆動する(S03)。焦点調整用モータ２１３を回転させると、ライトガイド１０１に対する白色光の集光点の位置が変化するため、測定される受光量も変化する。そこで、制御部２１は、この受光量変化が所定の規定値に近づく傾向か否かを判断する(S04)。
【００４３】
既定値に近づく傾向でない場合(S04, NO)には、焦点調整用モータ２１３の回転方向を逆転させ(S05)、S04の判断を再度実行する。光量が規定値に近づく傾向である場合(S04, YES)には、焦点調整用モータ２１３を同一方向に回転させ(S06)、測定した光量が規定値に達したか否かを判断する(S07)。
【００４４】
光量が規定値に達したと判断されると(S07, YES)、制御部２１は、キャリブレーション処理を正常終了し、システム始動の処理に入る。
【００４５】
一方、光量が規定値に達していないと判断されると(S07, NO)、カウンタｎの値をインクリメントし(S08)、カウンタｎの値が規定の回数に達したか否かを判断する(S09)。白色光源２０１のランプが寿命に近づくと、発光量が大きく低下し、ライトガイドに対する集光位置を調整しても十分な光量が得られないことがある。このような場合には、第２レンズ２１０３ｂを移動させても受光量が規定値に達しない。そこで、カウンタｎを用いて焦点調整用モータの駆動量を測定し、駆動量がある程度に達するまで(ｎが規定回数に達するまでS09, NO)は、S04からの処理を繰り返し、駆動量がある程度に達した場合(ｎが規定回数に達し場合、S09, YES)には、ランプの寿命であると判断し、ランプ交換の警告を表示し(S10)、処理を異常終了する。
【００４６】
上記のキャリブレーションを実行することにより、白色光源２０１の発光量にかかわらず、ライトガイド１０１を通して内視鏡先端から照射される白色光の光量を適切に設定することができる。すなわち、使用開始時で白色光源の発光量が大きい場合には、集光位置をライトガイドの端面から遠ざけることにより取り込み率を低下させ、内視鏡先端の温度上昇を防ぎ、使用時間が経過して発光量が低下した場合には、集光位置をライトガイドの端面に近づけることにより取り込み率を増加させ、ライトガイドから照射される白色光の光量を十分に確保することができる。
【図面の簡単な説明】
【００４７】
【図１】一般的な内視鏡システムの外観図である。
【図２】実施形態の光源プロセッサ装置の概略的な構成を示すブロック図である。
【図３】実施形態の光源プロセッサ装置の光学系の説明図である。
【図４】実施形態の光源プロセッサ装置の全体構成を示す断面図である。
【図５】実施形態の光源プロセッサ装置の光源アダプターの斜視図である。
【図６】実施形態の光源プロセッサ装置の白色光源から光源アダプター部分を拡大して示す断面図である。
【図７】実施形態の光源プロセッサ装置の白色光のキャリブレーション処理を示すフローチャートである。
【符号の説明】
【００４８】
１０      電子内視鏡
１０ａ    挿入部
１０ｂ    操作部
１０ｃ    ケーブル部
１０ｄ    コネクタ部
１０１    ライトガイド
２０      光源プロセッサ装置(内視鏡用光源装置)
２１      制御部
２２      画像処理部
２０１    白色光源
２０２    励起光源
２０３    アフォーカル光学系
２０４    光ファイバ束
２０５    コリメートレンズ
２０６    ダイクロイックミラー
２０７    集光レンズ
２１０    焦点調整機構
２１１    可動鏡筒
２１２    固定鏡筒
２１３    焦点調整用モータ
２１４    ピニオン
３００    光源アダプター
３１０    アダプター本体
３２０    移動ステージ
３２２    ミラーボックス部
【図１】
2007252492.tif 000003
【図２】
2007252492.tif 000004
【図３】
2007252492.tif 000005
【図４】
2007252492.tif 000006
【図５】
2007252492.tif 000007
【図６】
2007252492.tif 000008
【図７】
2007252492.tif 000009